Podtech/llm-jp-corpus-v4-ja_patent huggingface dataset:
(57)【要約】【課題】炭酸ガス高圧容器に直接取り付けた炭酸ガス圧力調整器と、温度に応じてビール樽に炭酸ガスを供給する調圧弁の、２つの圧力調整器を1つにすること、及び、従来の調圧弁は、上流にある圧力調整器の設定圧力以下での制御に限定されることの、２つの問題を解決することで、イニシャルコスト及びメンテナンスコストの低減と、高温側の意図しない制限のない供給圧力を提供することを課題とする。【解決手段】炭酸ガス高圧容器と、ビール樽のディスペンスヘッドに取り付けた温度圧力調整手段付炭酸ガス圧力調整器の間を、高圧フレキシブルチューブで接続し、１つの圧力調整器で上記課題を解決した。温度圧力調整手段付炭酸ガス圧力調整器は、ビール樽のディスペンスヘッドに取り付けたことで、ビール温度を精度良く感知できるようになると共に、従来の調圧弁に比べ高温側の圧力制御範囲を拡大できた。【選択図】    図２
2006143266.tif 000002
【特許請求の範囲】
【請求項１】
発泡飲料注出のために、発泡飲料容器に炭酸ガスを供給するガス圧力調整器の供給圧力を、発泡飲料の温度に応じて調節する、温度圧力調整手段を設けた炭酸ガス圧力調整器において、炭酸ガス高圧容器と、ガス圧力調整器の間を分離し、その間を管で接続したことを特徴とする、温度圧力調整手段付炭酸ガス圧力調整器のレイアウト。
【請求項２】
炭酸ガス高圧容器と、ガス圧力調整器を接続する管は、２０MPa以上の高圧に耐える柔軟な材質であることを特徴とする、請求項１の温度圧力調整手段付炭酸ガス圧力調整器のレイアウト。
【発明の詳細な説明】
【技術分野】
【０００１】
本発明は、高圧容器に充てんされている炭酸ガスを減圧して、樽生ビール等の樽に低圧炭酸ガスを供給する、飲料用炭酸ガス圧力調整器のレイアウトに関するものである。
炭酸ガス圧力が一定である場合、樽内のビール温度の変化により、ビールに溶け込む炭酸ガス量が変化するため、炭酸ガス高圧容器に直接取り付けた炭酸ガス圧力調整器とは別に、温度圧力調整手段付調圧弁をビール樽のディスペンスヘッドに取り付け、注出するビール温度を感知して自動で炭酸ガス供給圧力を調整して、ビールに含まれる炭酸ガス量、即ち泡の量が最適になるようにしている。
【背景技術】
【０００２】
図1は従来例である。
１は炭酸ガス高圧容器、２は炭酸ガス圧力調整器、３は温度圧力調整手段付調圧弁である。４は低圧炭酸ガス管で２の圧力調整器と３の調圧弁を接続、５は低圧炭酸ガス管で、３の調圧弁と、６のビール樽に設けた７のディスペンスヘッドとを接続している。
通常、６のビール樽への炭酸ガス供給圧力は、２の圧力調整器を最大圧力に設定し、３の調圧弁によりビール温度に適した供給圧力を得ているが、ビール温度の上昇に対しては、２の圧力調整器の設定圧力が上限となる。
以上説明したように従来のレイアウトでは、ビール温度に略追従する炭酸ガス供給圧力にはなるが、ビールの温度がある温度以上になったときに、炭酸ガス供給圧力が不足になり、ビールの味や風味も犠牲になることがあった。
更に、２の圧力調整器と、３の調圧弁の、２つの圧力調整器を持つこともシステムを高価にしていた。
【特許文献１】特開２００３−１２８１９３（Ｐ２００３−１２８１９３Ａ）
【発明の開示】
【発明が解決しようとする課題】
【０００３】
問題点は、２つの圧力調整器を必要としていることと、ビール温度が高いとき、ビール樽への炭酸ガスの供給圧力は、炭酸ガス高圧容器に直接取り付けた圧力調整器の設定圧力が、上限になってしまうこと、の２点である。
解決しようとする課題は、ビール温度に対応する炭酸ガス供給圧力の圧力調整を、1つの圧力調整器で、何時注出してもビールの泡の状態を最適に保てるように、炭酸ガス供給圧力をビール温度による自動調整とすることである。
【課題を解決するための手段】
【０００４】
図２に示すように、圧力調整器は温度圧力調整手段付のものを使用し、１の炭酸ガス高圧容器とは分離し、温度圧力調整手段付炭酸ガス圧力調整器１０とし、６のビール樽のディスペンスヘッド７に取り付け、ビール温度の感知をビール樽の直近で行い、炭酸ガス高圧容器１と温度圧力調整手段付炭酸ガス圧力調整器１０の間を２０MPa以上に耐える高圧フレキシブルチューブ１１で配管をする。
温度圧力調整手段付炭酸ガス圧力調整器１０は、予測できる巾広い炭酸ガス供給圧力に対応できるように範囲を広げておく。
【発明の効果】
【０００５】
温度圧力調整手段付炭酸ガス圧力調整器１０を、ビール樽６のディスペンスヘッド７へ直接取り付け、ビール温度を直近で常時感知することで、ビール樽６への炭酸ガス供給圧力を、常に適切にすることができ、ビール注出時の泡を何時でも最良の状態に維持できる。
炭酸ガス高圧容器と、圧力調整器の間に、高圧フレキシブルチューブを必要とするが、圧力調整器が１つであることは、イニシャルコストやメンテナンスコストの削減も期待できる。
【発明を実施するための最良の形態】
【０００６】
本案の最も効果的な形態は、ビアホールや居酒屋など、ビール樽から生ビールを注出するディスペンサーを備えている店舗で、何時でも美味しいビールを提供することが出来る。
【実施例１】
【０００７】
本発明の実施例を図２に示す。１０は温度圧力調整手段付炭酸ガス圧力調整器、１１は２０MPa以上に耐える高圧フレキシブルチューブ。１は炭酸ガス高圧容器、５は低圧炭酸ガス管、６はビール樽、７はディスペンスヘッド、８はビール管、９はビールサーバである。
１の炭酸ガス高圧容器と、１０の温度圧力調整手段付炭酸ガス圧力調整器は、１１の２０MPa以上に耐える高圧フレキシブルホースで接続する。
【産業上の利用可能性】
【０００８】
本発明の利用可能性として、ビール用のほか、炭酸飲料用自動販売機などに利用することで、各種炭酸飲料の炭酸ガス溶け込み量を常に最適に維持でき、常に美味しい炭酸飲料の提供ができるようになる。
【図面の簡単な説明】
【０００９】
【図１】従来の生ビール注出システムのレイアウトを示した説明図である。
【図２】本発明の生ビール注出システムレイアウトを示した説明図である。（実施例１）
【符号の説明】
【００１０】
１    炭酸ガス高圧容器
２    炭酸ガス圧力調整器
３    温度圧力調整手段付炭酸ガス調圧弁
４    低圧炭酸ガスチューブ
５    低圧炭酸ガスチューブ
６    ビール樽
７    ディスペンスヘッド
８    ビールチューブ
９    ビールサーバ
１０    温度圧力調整手段付炭酸ガス圧力調整器
１１    高圧フレキシブルチューブ
【図１】
2006143266.tif 000003
【図２】
2006143266.tif 000004
(57)【要約】    【課題】空室内に封入した発音体が焼成中に空室内面に接着してしまうことのないように構成された発音飲用容器を提供する。    【解決手段】底部４に形成された空室２に発音体３を封入してなる発音飲用容器１において、当該容器が磁器であり、前記発音体が自然石からなる粒体であるものとした。これにより、発音体が焼成中に変質せず且つ空室内面に接着する心配がなくなるので、歩留まりを高められる。【選択図】図１
2006143298.tif 000002
【特許請求の範囲】
【請求項１】
底部に形成された空室に発音体を封入してなる発音飲用容器であって、
当該容器が磁器であり、前記発音体が自然石からなる粒体であることを特徴とする発音飲用容器。
【発明の詳細な説明】
【技術分野】
【０００１】
本発明は、傾けたり揺らしたりすると音が出る発音飲用容器に関するものである。
【背景技術】
【０００２】
カップを二重底にして空室を形成し、その空室に発音体を封入した発音飲用容器が特許文献１に提案されている。本文献には、底部の空室にガラスや金属などで形成された球体を封入することが記載されているが、その製造方法に関して具体的に言及されてはいない。
【特許文献１】実開昭６４−４１３７８号公報
【発明の開示】
【発明が解決しようとする課題】
【０００３】
しかるに、カップを磁器で形成する場合、その焼成温度は概ね１４００℃に達するので、発音体として鉄製の球体などを用いた場合、鉄は完全には溶融しないものの、長時間赤熱させておくと、複数の球体が互いに焼き付いて一体化してしまったり、酸化した部分が空室の内面に融着したりしないとも限らない。
【０００４】
また、磁器のカップを二重底にして空室を形成するためには、深底のカップ本体と浅底の底部とを個別に形成し、これらの互いの当接面に水分を含ませた状態で接合し、更に接合部に陶土を擦り込んでから乾燥させるといった工程がとられる。つまり容器を形成する陶土が水分を含んでいる状態で発音体を封入しておかなければならないので、カップ本体と同じ陶土で発音体を形成した場合は、完全に固化していない空室の内面に発音体が接着してしまうことがあり得た。
【０００５】
工業製品においては、このような不良品の発生は生産計画に織り込み済みであることが一般的ではあるが、陶磁器の場合、殆ど最終段階で発生した不良品は再利用できないので廃棄するしかなく、このような不良発生率はできるだけ低く抑えられることが望まれる。
【０００６】
本発明は、このような課題を解決すべく案出されたものであり、その主な目的は、空室内に封入した発音体が焼成中に空室内面に接着してしまうことのないように構成された発音飲用容器を提供することにある。
【課題を解決するための手段】
【０００７】
このような課題を解決するために本発明は、底部（４）に形成された空室（２）に発音体（３）を封入してなる発音飲用容器（マグカップ１）において、当該容器が磁器であり、前記発音体が自然石からなる粒体であることを特徴とするものとした。
【発明の効果】
【０００８】
このような本発明の構成によれば、発音体が焼成中に変質せず且つ空室内面に接着する心配がなくなるので、歩留まりを高める上に多大な効果を奏することができる。
【発明を実施するための最良の形態】
【０００９】
以下に添付の図面を参照して本発明について詳細に説明する。
【００１０】
図１は、本発明が適用されたマグカップの断面図である。このマグカップ１は、二重底とされて空室２が画成されており、この空室内に複数個（５〜６個）の発音体３が封入されている。
【００１１】
このマグカップ１は、図２に示したように、底面に糸床が形成された浅い盃様をなす底部４と、糸床のない底面が平坦なカップ部５とを通常の作陶工程で接合し、乾燥後に焼成したものであり、その底部に形成された空室２の中に封入される発音体３は、自然石を研磨して形成した適宜な直径（例えば６ｍｍ）の球体からなっている。発音体３を形成する自然石としては、例えば安山岩などの火成岩を用いると、焼成時の高熱で変質せず、しかも底部４を成形した陶土と接着せずに済むので、完成時に発音不良などを生ぜずに済む。
【００１２】
底部４の適所には、空気抜きの貫通孔６が開けられている。この貫通孔６は、釉薬に浸ける際には木栓で塞がれており、空室２内に釉薬が滲入して発音体３が空室２内で接着する不都合が生じないようにされている。木栓は焼成時に焼失するので、空気抜きの機能に影響を及ぼすことはない。この貫通孔６は、完成後にシリコン系の充填材７で塞がれて、洗浄時に水が滲入することが防止される。
【００１３】
このようにして完成したマグカップ１は、カップを傾けたり揺らしたりすると発音体３が空室２内で転動したり空室２の壁面に衝突したりして転動音あるいは打音を発するので、単なる飲用に供するだけではない興趣が味わえる。
【図面の簡単な説明】
【００１４】
【図１】本発明が適用されたマグカップの縦断面図である。
【図２】図１のマグカップの製造法の説明図である。
【符号の説明】
【００１５】
１  マグカップ
２  空室
３  発音体
４  底部
５  カップ部
６  空気抜き孔
７  充填材
【図１】
2006143298.tif 000003
【図２】
2006143298.tif 000004
(57)【要約】【課題】  製造が容易で、しかも開封しやすい商品収容袋を提供すること。【解決手段】  この発明の商品収容袋は、適宜の商品１を収容して店舗において陳列されるようにした商品収容袋であって、前後のフィルム２，３の周縁部４を接着して袋状にしてなり、収容部５において前後のフィルム２，３を接着してポケット部６を形成したものとしている。周縁部４の適宜箇所に切り込み８を設けたものとすることができる。また、ポケット部６の周縁接着部分１０は略Ｕ字状とすることができる。【選択図】  図１
2006143236.tif 000002
【特許請求の範囲】
【請求項１】
適宜の商品（１）を収容して店舗において陳列されるようにした商品収容袋であって、前後のフィルム（２）（３）の周縁部（４）を接着して袋状にしてなり、収容部（５）において前後のフィルム（２）（３）を接着してポケット部（６）を形成していることを特徴とする商品収容袋。
【請求項２】
周縁部（４）の適宜箇所に切り込み（８）を設けた請求項１記載の商品収容袋。
【請求項３】
ポケット部（６）の周縁接着部分（１０）が略Ｕ字状である請求項１又は２記載の商品収容袋。
【発明の詳細な説明】
【技術分野】
【０００１】
この発明は、適宜の商品を収容して店舗において陳列されるようにした商品収容袋に関するものである。
【背景技術】
【０００２】
従来、適宜の商品を収容してコンビニエンスストア等の店舗において陳列されるようにした包装容器として、透明な合成樹脂と台紙からなるブリスターパックがあった（例えば特許文献１）。
【０００３】
しかし、従来のブリスターパックは、透明な合成樹脂を金型により商品を収容できる形状に成型し、さらに台紙には商品を取り出すための切り取り線を設ける等、複雑な構成となっており、製造が容易でなく、また開封がしにくいものであった。
【特許文献１】実開昭５８−７０３６９号公報
【発明の開示】
【発明が解決しようとする課題】
【０００４】
そこで、この発明は、製造が容易で、しかも開封しやすい商品収容袋を提供することを課題とする。
【課題を解決するための手段】
【０００５】
この発明の商品収容袋は、適宜の商品１を収容して店舗において陳列されるようにした商品収容袋であって、前後のフィルム２，３の周縁部４を接着して袋状にしてなり、収容部５において前後のフィルム２，３を接着してポケット部６を形成したものとしている。
【０００６】
周縁部４の適宜箇所に切り込み８を設けたものとすることができる。
【０００７】
また、ポケット部６の周縁接着部分１０は略Ｕ字状とすることができる。
【発明の効果】
【０００８】
この発明の商品収容袋は、上述のような構成を有しており、製造が容易で、しかも開封しやすいものとなっている。
【発明を実施するための最良の形態】
【０００９】
以下、この発明の好適な実施形態を、図面を参照して説明する。
【００１０】
図１はこの発明の実施形態の商品収容袋に商品１を収容した状態の正面図、図２はそのＡ−Ａ断面図、図３は商品収容袋に商品１を収容する前の状態を示す斜視図ある。
【００１１】
この商品収容袋は、適宜の商品１を収容して店舗において陳列されるようにした商品収容袋であって、前後のフィルム２，３の周縁部４を接着して袋状にしてなり、収容部５において前後のフィルム２，３を接着してポケット部６を形成している。
【００１２】
フィルム２，３の素材は、ポリプロピレン、ＰＥＴ、ナイロンその他適宜の合成樹脂とすることができる。フィルム２，３は透明とし、収容した商品１が透けて見えるようにしている。
【００１３】
前後２枚のフィルム２，３は、同形状に形成され、開口部となる上部を除く互いの周縁部４がヒートシールや接着剤等により接着されている。各フィルム２，３の厚みは、強度やかさばりにくさを考慮し、５０μｍ〜１２０μｍ程度とするとよいが、特にこれに限定されない。
【００１４】
前後のフィルム２，３の上部には、図１中左右方向に、一方のフィルム２，３に凸条、他方のフィルム２，３に凹条が設けられてファスナー７が形成されており、このファスナー７を閉じることにより収容部５の密閉性が保たれるようになっている。
【００１５】
また、前後のフィルム２，３のファスナー７の上方の図１中左側の周縁部４には、切り込み８が形成されており、ここから左右方向にフィルム２，３を引き裂くことにより開封が容易にできるようにしている。また、前後のフィルム２，３の上端部には、陳用のフックに引っ掛けるための孔９が設けられている。
【００１６】
フィルム２，３は図示された形状に限られず、四角形その他適宜の形状とすることができる。大きさも適宜である。フィルム２，３は半透明のものとすることができ、後ろ側のフィルム２，３は不透明であってもよい。また、フィルム２，３には適宜の模様や文字を付すことができる。
【００１７】
この商品収容袋は、フィルム２，３が接着した周縁部４の内側を収容部５としており、この収容部５の略中央にポケット部６を設けている。ポケット部６は、ヒートシールや接着剤等により前後のフィルム２，３が接着された周縁接着部分１０を略Ｕ字状としている。商品１は、この商品収容袋の開口した状態の上端から収容部５に挿入され、ポケット部６に収容されるようになっている。収容する商品１は、食品、薬品、衛生用品、文房具、電池、その他適宜のものとすることができる。
【００１８】
この商品収容袋は、商品１を収容した後、前後のフィルム２，３のファスナー７の少し上の部分が接着され、密封状態とすることができる。
【００１９】
この商品収容袋は、上述のような構成であるため、製造が容易で、しかも開封しやすい。さらに、商品１を収容する前の状態では、厚みが薄く一様であるため、多数枚積層することができる。
【図面の簡単な説明】
【００２０】
【図１】この発明の実施形態の商品収容袋に商品を収容した状態の正面図である。
【図２】図１のＡ−Ａ断面図である。
【図３】この発明の実施形態の商品収容袋に商品を収容する前の状態を示す斜視図である。
【符号の説明】
【００２１】
１  商品
２，３  フィルム
４  周縁部
５  収容部
６  ポケット部
８  切り込み
１０  ポケット部の周縁接着部分
【図１】
2006143236.tif 000003
【図２】
2006143236.tif 000004
【図３】
2006143236.tif 000005
(57)【要約】【課題】無限履帯走行機構を有する門形クレーンを搬送するために、レール走行機構（３）の上で走行可能な積込みプラットホームを有する搬送台車を改良して、搬送台車の上で搬送される門形クレーンを作業使用状態と引渡位置との間で変更することを容易にすること。【解決手段】搬送台車が積込みプラットホーム（２）を有し、積込みプラットホーム（２）の上に−それぞれ１つの無限履帯走行機構を支えるために設けられて−台車長手方向に対して直角に対を成して互いに向き合って位置する設置プレート（７）が配置されており、該設置プレート（７）が駆動装置（９）により、台車長手方向に対して平行に延びる積込みプラットホーム（２）の制限線（６）を設置プレート（７）が越えるように移動可能に構成されていること。これによって無限履帯走行機構（１１）と門形クレーン（１０）との簡単な結合が可能になる。【選択図】図２
2006143201.tif 000002
【特許請求の範囲】
【請求項１】
無限履帯走行機構（１１）を有する門形クレーン（１０）を搬送するために、レール走行機構（３）の上で走行可能な積込みプラットホーム（２）を有する搬送台車において積込みプラットホーム（２）の上に−それぞれ１つの無限履帯走行機構（１１）を支えるために設けられた−台車長手方向（５）に対して直角に対を成して互いに向き合って位置する設置プレート（７）が配置されており、これらの設置プレート（７）が駆動装置（９）により、台車長手方向（５）に対し直角にかつ積込みプラットホーム（２）に対して相対的に、台車長手方向（５）に対して平行に延びる積込みプラットホーム（２）の制限線（６）を越える組立位置に移動可能であることを特徴とする、門形クレーンを搬送するための搬送台車。
【発明の詳細な説明】
【技術分野】
【０００１】
本発明は無限履帯走行機構を有する門形クレーンを搬送するためにレールを走行機構の上で走行可能な積込みプラットホームを有する搬送台車に関する。
【背景技術】
【０００２】
無限履帯走行機構を有しかつ簡単なレールヨークを備えた門形クレーンを搬送するための前記形式の搬送台車はEP−０７２５８５９Ｂ１号明細書によって公知である。転轍器をも搬送できるためには門形クレーンは台車横方向で両方の無限履帯走行機構の間に広げられた間隔を与えることができるように構成されていなければならない。この結果、搬送台車の上で門形クレーンを搬送するためには、車両接触限界を越えて突出する無限履帯走行機構を取外すことが必要である。
【特許文献１】ＥＰ−０７２５８５９Ｂ１号明細書
【発明の開示】
【発明が解決しようとする課題】
【０００３】
本発明の課題は冒頭に述べた形式の搬送台車であって、搬送台車の上で搬送される門形クレーンを作業使用状態と移送位置との間で変更することが容易である搬送台車を提供することである。
【課題を解決するための手段】
【０００４】
本発明の課題は冒頭に述べた形式の門形クレーンにおいて、積込みプラットホームの上に−それぞれ１つの無限履帯走行機構を支えるために設けられた−台車長手方向に対して直角に互いに対を成して向き合った設置プレートが配置されており、該設置プレートが駆動装置により台車長手方向に対し直角にかつ積込みプラットホームに対し相対的に、該積込みプラットホームの台車長手方向に対し平行に延びる制限線を越える組立位置へ移動可能であることによって解決された。
【発明の効果】
【０００５】
このような構成は台車横方向で互いに向き合って位置する無限履帯走行機構を移送走行のために車両接触限界内に位置せしめることができない場合に特に有利である。このような場合には無限履帯走行機構の取外しが不可欠である。設置プレートで無限履帯走行機構はきわめて簡単に台車横方向で−車両接触限界の内部にある位置から−門形クレーンとの問題のない結合が可能になるまで移動可能である。
【０００６】
本発明のさらなる利点と構成は従属請求項及び図面に示されている。
【発明を実施するための最良の形態】
【０００７】
図１、２および３に示された搬送台車１は積込みプラットホーム２を有し、レール走行機構３を介しレール４の上を走行可能である。積込みプラットホーム２は台車長手方向５に対し垂直な方向で見て、互いに平行に延びる２つの制限線６によって制限されている。
【０００８】
積込みプラットホーム２の上には４つの設置プレート７がある。４つの設置プレート７のそれぞれ２つは、台車長手方向５に対し直角に延びる台車横方向で、互いに対を成して向き合って位置している。各設置プレート７は案内８内で台車横方向に移動可能に支承されている。駆動装置９によって与えることのできる横移動によって各設置プレート７は積込みプラットホーム２に対し相対的に内側に位置する引渡し位置（図２の左側を参照）から組立位置（図２の右側を参照）へ移動させられることができる。組立位置では設置プレート７は対応する制限線６を越えて突出している（図３を参照）。
【０００９】
門形クレーン１０を構築個所へ引渡し走行させるためには無限履帯走行機構１１は走行機構フレーム１２から外されなければならない。搬送台車がクリアランス（車両接触限界）を越えることはこれでしか回避されない。
【００１０】
無限履帯走行機構１１を走行機構フレーム１２の高さ調節可能な垂直保持体１３と結合するためには設置プレート７はその上にある無限履帯走行機構１１と一緒に前述の組立位置へ移動させられる。次いで横保持体１４によってクレーンフレーム１５と結合された走行機構フレーム１２は垂直な軸１６を中心として、各垂直保持体１３が無限履帯走行機構１１の連結器１７の上に位置するまで旋回させられる。
【００１１】
無限履帯走行機構１１が垂直保持体１３と結合されたあとで無限履帯走行機構１１は走行機構フレーム１２の駆動装置１８によってわずかに設置プレート７から持上げられる。この設置プレート７が引渡し走行位置に戻されたあとで無限履帯走行機構１１は駆動装置１８で妨げられずに、門形クレーン１０が走行可能になるように道床の上に下降させられる。横保持体１４は公知の形式で駆動装置によってテレスコープ式に伸張可能に構成されている。無限履帯走行機構１１を走行機構フレーム１２から外し、設置プレート７の上に設置することは、逆の順序で行なわれる。
【図面の簡単な説明】
【００１２】
【図１】門形クレーンが積込まれた搬送台車の側面図。
【図２】門形クレーンと搬送台車との簡略化した平面図。
【図３】搬送台車を台車長手方向で見た概略図。
【符号の説明】
【００１３】
１  搬送台車、  ２  積込みプラットホーム、  ３  レール走行機構、  ４  レール、  ５  台車長手方向、  ６  制限線、  ７  設置プレート、  ８  案内、  ９  駆動装置、  １０  門形クレーン、  １１  無限履帯走行機構、  １２  走行機構フレーム、  １３  垂直保持体、  １４  横方向保持体、  １５  クレーンフレーム、  １６  軸線、  １７  連結器、  １８  駆動装置
【図１】
2006143201.tif 000003
【図２】
2006143201.tif 000004
【図３】
2006143201.tif 000005
(57)【要約】【課題】  保温性、クッション性に優れているとともに腰のある複層織物を低コストに製造できるようにする。【解決手段】  経糸１ａと緯糸１ｂよりなる織物の上部ベース地１と、同じく経糸２ａと緯糸２ｂよりなる織物の下部ベース地２とよりなり、上部ベース地用のパイル糸３を上部ベース地と下部ベース地へジグザグ状に，下部ベース地用のパイル糸４を下部ベース地と下部上部ベース地へジグザグ状に織り込み、上下のベース地間にパイル糸による空間αを形成した。【選択図】  図２
2006241604.tif 000002
【特許請求の範囲】
【請求項１】
経糸と緯糸よりなる織物の上部ベース地と、同じく経糸と緯糸よりなる織物の下部ベース地とよりなり、上部ベース地用のパイル糸を上部ベース地と下部ベース地へジグザグ状に，下部ベース地用のパイル糸を下部ベース地と上部ベース地へジグザグ状に織り込み、上下のベース地間にパイル糸による空間を形成してなる複層織物。
【発明の詳細な説明】
【技術分野】
【０００１】
本発明はタオルケットや敷布等の寝具に好適な複層織物に関する。
【背景技術】
【０００２】
タオル織物は図３に示すように、経糸と緯糸よりなる織物のベース地にパイル糸を絡合して両面に輪奈（ループ状の毛羽立ち）を形成したものとしてある。
【０００３】
ところが寝具等に使用する際の面は上下どちらかの面となり、人体接触面との保温層は片方の面の輪奈の長さ(突出量)分の一層のみとなり、その保温性には限界があり、また、生地の腰の強さも層の一重分であるので必然的に限界がある。
【０００４】
業界ではこれらの欠点をカバーするために、一旦織り上げたタオル生地に化繊綿やウレタン等の異質の中綿状物体を縫製してボリュームを増すことにより欠点をカバーしているのが現状である。
【発明の開示】
【発明が解決しようとする課題】
【０００５】
本発明は保温性、クッション性に優れているとともに腰のある複層織物を低コストに製造できるようにした。
【課題を解決するための手段】
【０００６】
前記目的を達成するために、本発明の複層織物は、経糸と緯糸よりなる織物の上部ベース地と、同じく経糸と緯糸よりなる織物の下部ベース地とよりなり、上部ベース地用のパイル糸を上部ベース地と下部ベース地へジグザグ状に，下部ベース地用のパイル糸を下部ベース地と下部上部ベース地へジグザグ状に織り込み、上下のベース地間にパイル糸による空間を形成したものとしてある。
【発明の効果】
【０００７】
上述した本発明の複層織物は、上下部のベース地の間に断熱層としての空気断熱の空間があるので、保温性に優れたあたたかいものとなっており、かつ断熱空間には上下ベース地のパイル糸輪奈を介在せしめてあるので、空間と相俟ってクッション性に優れており、しかも上下のベース地には相対するベース地のパイル糸が相互に絡合しているので、上下のベース地は相対的に横ずれすることが阻止され、腰のある安定性に優れた織物として使用できる。
【０００８】
さらに、厚みやクッション性を出すために、一旦織り上げた織物生地に化繊綿やウレタン等の異質の中綿状物体を縫製する必要はなく、製造コストの低減を期せる利点がある。
【実施例】
【０００９】
以下本発明を添付図面に示す具体例によって説明する。
図１、２は本発明の実施例を示し、符号１は経糸１aと緯糸１bとの織物よりなる上部ベース地、２は経糸２ａと緯糸２ｂとの織物よりなる下部ベース地を示す。
【００１０】
しかして上部ベース地１と下部ベース地２にはそれぞれパイル糸３，４を平行に織り込んであり、しかも各パイル糸３、４は対向ベース地側に突出する輪奈３ａ、４ａが形成されて、各輪奈が対向するベース地に絡合し、輪奈によって上下のベース地簡に空間αが形成されている。
【００１１】
より具体的には上部パイル糸は３は上部ベース地１の経糸１ａに絡合した後、下向きの輪奈の輪奈３ａが下部ベース地２の経糸２ａに絡合し、次いで反転して上部ベース地の経糸１ａに絡合している。
【００１２】
また、下部ベース地２のパイル糸４は下部ベース地の経糸２ａに絡合した後、上向きの輪奈の輪奈４ａが上部ベース地の経糸２ａに絡合し、次いで反転して下部ベース地の経糸２ａに絡合している。
【００１３】
しかして上下のベース地間には前記輪奈３ａ、４ａにより空間αが形成されている。
【００１４】
なお、上下のベース地の周辺部は縁布５で覆われて、縫い糸６で縫合されている。
【００１５】
この実施例のものでは表裏面が平織状になっているが、上下のベース地１、２間には適宜の空間αがあり、しかもその空間にはパイル糸の輪奈が介在しているので、全体としてクッション性に富むものとなっており、しかも空間は断熱層の働きもするので、タオルケットや敷布として使用した場合における人体の熱が外部にリークするのが極力阻止され、保温性に優れたものとなっている。
【００１６】
さらに上下のパイル糸は対向する相手方ベース地に絡合しているので、上下のベース地の相対的横ずれが阻止され、腰のしっかりとした安定性を有するものとなっている。
【図面の簡単な説明】
【００１７】
【図１】本発明に係る複層織物の実施例を示す斜視図。
【図２】本発明に係る複層織物の第１例を示す縦断面図。
【図３】タオル織物の一例を示す縦断面図。
【符号の説明】
【００１８】
１  上部ベース地
１ａ  経糸
１ｂ  緯糸
２  下部ベース地
２ａ  経糸
２ｂ  緯糸
３、４  パイル糸
３ａ、４ａ  輪奈
５  縁布
６  縫い糸
【図１】
2006241604.tif 000003
【図２】
2006241604.tif 000004
【図３】
2006241604.tif 000005
(57)【要約】      （修正有）【課題】ストッキングが伝線した際、手軽に補修するための、ストッキング伝線補修シールを提供する。【解決手段】  女性用ストッキングと同類素材でできた生地にシール加工を施し、ストッキングの破損部分に貼付することで、伝線の広がりを押さえる。【選択図】図１
2006241658.tif 000002
【特許請求の範囲】
【請求項１】
女性用ストッキングと同類素材でできた生地にシール加工を施し、ストッキングの破損部分に貼付することで伝線の広がりを押さえることを特徴とするストッキング伝線補修シール。
【発明の詳細な説明】
【技術分野】
【０００１】  本発明は、ストッキングが伝線した際、手軽に補修するための、ストッキング伝線補修シールに関するものである。
【背景技術】
【０００２】  従来、ストッキングが伝線した場合、ストッキング自体を新しいものに交換するが、もしくは初期の伝線であれば、瞬間ボンドやマニキュアを塗布したり、また傷口用絆創膏を貼付することで応急処置をしたりしていた。
【発明の開示】
【発明が解決しようとする課題】
【０００３】  そのために次のような問題点があった。
ストッキング自体を交換するには大きな出費を伴うし、元来伝線しやすい性質上、常に嵩張るストッキングを携帯する必要もあった。
また、瞬間性ボンドやマニキュアなどをストッキングに塗布した場合、乾燥するまで相当の時間を要し、また肌に直接付着するという不快さもあった。
絆創膏での処置に関しては、ストッキングの上に貼付するという外観上の不自然さがあった。
本発明は、これらの問題点を解決するためになされたものである。
【課題を解決するための手段】
【０００４】  女性用ストッキングと同類素材でできた生地にシール加工を施し、ストッキングの破損部分に貼付することで、伝線の広がりを押さえるストッキング伝線補修シールである。
【発明の効果】
【０００５】  本発明は、ストッキングの伝線を初期段階で食い止めることができる。したがって、ストッキング自体を交換する面倒がなくなる一方、常に嵩張るストッキングを携帯する必要もなくなる。
また、ボンドやマニキュア、絆創膏などで応急処置をして不快感を味わうこともなくなる。
【発明を実施するための最良の形態】
【０００６】以下、本発明は実施の形態を説明する。
（イ）ストッキングと同類素材の生地（１）に、シール加工を施す。
（ロ）携帯しやすい大きさの補修シール保存シート（２）に保存し、必要な分をはがして      使用する
本発明は、以上の構成よりなっている。
本発明を使用するときは、上記のストッキング伝線補修シールを（２）のシートからはがし、伝線部分に貼付する。ストッキングと同類の素材のため伝線箇所も目立ちにくく、手軽に補修でき、また携帯しても邪魔にならない。
【図面の簡単な説明】
【０００７】
【図１】本発明の斜視図
【図２】本発明の使用状態を示した側面図
【符号の説明】
【０００８】１    生地
２    補修シール保存シート
【図１】
2006241658.tif 000003
【図２】
2006241658.tif 000004
(57)【要約】【課題】  雪遊びをする子供と保護者の手を防寒防水し、力加減や手先への感覚を伝えやすくし、容易に装着できる手袋を提供する。【解決手段】  毛糸手袋（１）の袖口に長めの袖部分（２）を設け、毛糸手袋（１）の内側に薄ゴム手袋（３）を接着し、薄ゴム手袋（３）の内側には各指の付け根にリング（５）が装着されているインナー手袋（４）を接着させた事を特徴とする。【選択図】  図１
2006241659.tif 000002
【特許請求の範囲】
【請求項１】
毛糸手袋（１）の袖口に横にのび縮みする腕中ほどまでの長さの袖部分（２）を設け、毛糸手袋（１）の内側に薄ゴム手袋（３）を接着し、薄ゴム手袋（３）の内側には各指の付け根にリング（５）が装着されているフリース又は綿のインナー手袋（４）を接着させた、防寒防水兼用毛糸手袋。
【発明の詳細な説明】
【技術分野】
【０００１】  この発明は、雪遊びをする子供と保護者の手を防寒防水し手先の感覚を伝えやすくさせ、なおかつ容易に装着できる手袋に関する物である。
【背景技術】
【０００２】  従来の毛糸手袋を使用するとすぐに雪が融けてしみ込んで来てしまう。又、スキー用手袋を使用すると容易に手や指を動かせずにいる。
【発明の開示】
【発明が解決しようとする課題】
【０００３】  これは次の様な欠点があった。
イ、毛糸の手袋では雪がしみ込んできてしまいすぐに手が冷たくなってしまった。
ロ、毛糸の手袋は袖口が短いため上着の袖部分との間に隙間ができ、雪が入りこんでしまうので冷たかった。
ハ、毛糸の手袋は装着時、特に幼児は同じ指穴に指を二本入れてしまったり、正位置にきちんと入れられなかったりと困難を生じる事が度々あった。
ニ、スキー用手袋は生地に厚みがありすぎて、物や雪を触る感覚が伝わりにくく力加減ができずに物を落としてしまったり、雪をにぎりつぶしてしまったり形を作るのが困難だった。
ホ、スキー用手袋を保護者が装着時、子供の世話をする時や特に鼻水や濡れた箇所を拭くときに、バックやポケットからティッシュを取り出す作業、さらにはポケットティッシュを一枚ずつ取る作業に困難を生じその度々に脱着装着を繰り替えさなければならなかった。
本発明は以上の点を解決するためになされたものである。
【課題を解決するための手段】
【０００４】  毛糸手袋（１）の袖口に横に延び縮みする腕中ほどまでくる長さの袖部分（２）を設け、毛糸手袋（１）の内側に薄ゴム手袋（３）を接着し、薄ゴム手袋（３）の内側には各指の付け根にリング（５）が装着されているインナー手袋（４）を接着させた防寒防水兼用毛糸手袋。
【発明の効果】
【０００５】  本発明を使用する事により長時間の雪遊びを楽しむ事ができる。又、袖部分を長くした事により深い雪の中に手を入れたり、腕を上げ下げした時に生じる上着と手袋の隙間がなくなり雪が入り込む事がなくなる。又、スキー用手袋と違い厚みや硬さがないので力加減がしやすく雪を握りつぶす事がなくなり、そりのロープや物なども持ちやすくなる。
【発明を実施するための最良の形態】
【０００６】  以下本発明の実施の形態を説明する。
イ、従来の毛糸手袋（１）は袖口が手首までと短いので腕中ほどまで伸び縮みできる長めの袖口（２）を毛糸で設ける。
ロ、毛糸手袋（１）の内側にニトリルゴム又は薄いゴムのゴム手袋（３）を接着させる。
ハ、各指の付け根部分にビニールに覆われた形状記憶合金又は針金リング（５）を円形状のまま指の太さに合わせて伸び縮みする様にさせ、薄ゴム手袋（３）とインナー手袋（４）の間に装着させる。
ニ、薄ゴム手袋（３）の内側に、フリース又は綿素材のインナー手袋（４）を接着させる。
本発明は以上の構成より成り立っている。
また、保護者自身は装着が容易に出来るので保護者用手袋にはリングを装着してもしなくても良いと考える。
【産業上の利用可能性】
【０００７】
【図面の簡単な説明】
【０００８】
【図１】  本発明を示した正面図である。
【図２】  本発明を示した断面図である。
【符号の説明】
【０００９】  １、毛糸手袋
２、袖口
３、薄ゴム手袋
４、インナー手袋
５、リング
６、リング詳細
【図１】
2006241659.tif 000003
【図２】
2006241659.tif 000004
(57)【要約】【課題】  本発明は、全体を毛糸で筒状に編んで、上下に糸ゴムを編み込み、赤ちゃんの発育と、ずれを考慮したレッグウオ−マーを提供する。【解決手段】  伸縮性のある素材で作った筒状の本体（１）の上側と下側に、細い紐ゴム（４）を設けたことが特徴である。【選択図】  図１
2006241662.tif 000002
【特許請求の範囲】
【請求項１】
伸縮性のある素材で作った筒状の本体（１）の上側と下側に、細い紐ゴム（４）を設けた健やかレッグウオ−マー。
【発明の詳細な説明】
【技術分野】
【０００１】  本発明は、全体を毛糸で筒状に編んで、上下に糸ゴムを編み込み、赤ちゃんの発育と、ずれを考慮したレッグウオ−マーに関するものである。
【背景技術】
【０００２】  近所に住む孫が抱っこされてくるとき、ズボンが上に上がって、ズボンと靴下の間（足首〜膝、ふくらはぎ）が露出して、寒そうである。
ふくらはぎは、第２の心臓と言われる大切なところ、保護して暖かく快適に過ごせるように発明した。
赤ちゃん用の、ずれを考慮したレッグウオーマーの要望も多く、世の赤ちゃんのために発明した。
【発明の開示】
【発明が解決しようとする課題】
【０００３】  ハイソックスやズボンに靴下が繋がっているのもあるが、ハイソックスはずれ易く、ずれないようにすると上のゴムがきつくなり、発育に良くない。
靴下付きズボンは、抱っこするとズボンが上に上がるので、足先が窮屈になり足の指が曲がってしまい、これも発育に良くない。
文句も言えない赤ちゃんだからこそ、考えてやらなければと、上にも下にも引っ張られなくて単独でカバーができ、発育を妨げず、着脱がし易い赤ちゃん用レッグウオ−マーを発明した。
【課題を解決するための手段】
【０００４】  伸縮性のある素材で作った筒状の本体（１）の上側と下側に、細い紐ゴム（４）を設ける。
以上のように構成された健やかレッグウオ−マーである。
【発明の効果】
【０００５】  外出時足が出るのが防げて、暖かくなる。
締め付けることもなく、ずれることもない。
ファッション的にとても可愛いい。
【発明を実施するための最良の形態】
【０００６】  伸縮性のある素材で作った筒状の本体（１）の上側と下側に細い紐ゴム（４）を設けた健やかレッグウオ−マーである。【０００７】  以下、添付図面に従って、実施形態を説明する。
１は、毛糸（並太の場合）素材で作られた本体である。
２は、編み始め２８目作る。
３は、２目表編み、２目裏編みのゴム編みで筒状に１８ｃｍ編む。緩やかな伸縮性が生まれる。【０００８】  ４は、上から約１ｃｍのところに、細い紐ゴム（糸ゴム）で鈎針を使い、鎖編みを編み込む。
５は、同様に、下から約１ｃｍのところに編み込んだものである。
ゴムなので、適度に伸縮し、ずれを防いでくれる。
【図面の簡単な説明】
【０００９】
【図１】  本発明の実施形態を示した健やかレッグウオーマ−の説明図である。
【符号の説明】
【００１０】  １  レッグウオ−マー本体
２  編み始め２８目
３  表編み裏編み
４  上部紐ゴムによる編み込み
５  下部紐ゴムによる編み込み
【図１】
2006241662.tif 000003
(57)【要約】      （修正有）【課題】  農業、林業、漁業、工事現場での作業時や、スポーツ観戦、ライブ観賞、サッカーや野球、登山、魚釣り、ジョギングなど、傘や帽子、合羽などを着用するのが普通である。それらを着用すると、内部は風通しが悪く不快である。冬場の寒さを防ぐには従来の帽子等では十分な効果が得られない。これらの不快感を解決する。【解決手段】帽子に小型携帯扇風機を取り付け、帽子着用時の不快感を払拭する。炎天下でも快適に野外活動が出来るようになる。また、透明なＵＶカットシートを取り付け、顔や首筋を紫外線から遮断し日焼けを防止する。このＵＶカットシートも小型扇風機も簡単に着脱可能にする。電源は小型軽量のバッテリーを使用し、ポケットやバッグまたは、ズボンのベルトなどに簡単に取付けられるようにする  冬は、エアキャップカバーを帽子に被せたり、帽子上部空間にカイロ等を取付け加温し、真冬の野外でも快適に過ごす事が可能となる。【選択図】図１
2006241661.tif 000002
【特許請求の範囲】
【請求項１】
雨、雪、風、日光を防御する帽子である。
【請求項２】
帽子に取り付ける小型携帯扇風機である。
【発明の詳細な説明】
【背景技術】  昨今、電気モーターは、小型軽量で且つ省電力で稼動する物が開発されている。またバッテリーも高性能の物が開発され、小型軽量で長時間の使用にも適した物が技術的に可能となった。また使い捨てカイロが安価で販売され、手軽に安全な局所暖房として使用可能となった。
【発明が解決しようとする課題】
野外でのスポーツ観戦やライブ観賞、サッカー、野球、登山、魚釣り、ジョギングなどのアウトドアでの趣味、田畑、山、道路工事現場、などで野外での作業時に雨、雪、風、日光を遮断する方法として、従来は傘や帽子、合羽などが用いられている。
しかし、それらは着用すると風通しが悪く、夏の日中などでは中は蒸し風呂の様になり、極度に不快感を覚えるものであった。一方、冬の寒さを防ぐには従来の傘や帽子では寒さ対策としては不完全なものであった。
【発明の効果】
本発明は、帽子の内部に小型携帯扇風機を設置する事により、防止内部の風通しを良くし、真夏であっても快適に長時間着用できる様にした帽子である。
あらゆるアウトドアでのスポーツ観戦やライブ観賞、サッカーや野球、登山、魚釣り、ジョギングなどの趣味、さらに田畑、山、道路工事現場での作業などの仕事面でも、帽子の内部の上部に小型携帯扇風機を取付け、電源は小型バッテリーにし、使用する人のポケットやバッグ、または専用のバッテリーホルダーに内臓して、ズボンのベルトなどに携帯することで、簡単に暑さを解消する事が可能である。この小型携帯扇風機、小型バッテリーは簡単に着脱可能であり、他の帽子や傘などにもワンタッチで設置可能である。また、本発明の携帯扇風機付き帽子には、日焼けを防止する為に、紫外線を遮断する透明のＵＶカットシートが取り付けてあるが、このシートも簡単に着脱可能で、屋内で使用する時など必要の無いときは、ワンタッチで取り外しが可能である。一方、帽子上部にエアキャップシートで出来たカバーや帽子内部にカイロ等を取付けることで、冬場の寒さにも対応可能であり、四季を通して使用出来る、オールシーズン対応帽子である。
このように、本発明は、特に屋外での仕事面、娯楽面など多用途に簡単に活用できて、真価を発揮できること間違いないのである。
【発明を実施する最良の形態】
本発明の携帯扇風機付き帽子は、陣笠の様な形状で上部の内側空間〔図１〕の〔符号〕１に小型携帯扇風機〔図１〕の〔符号〕３を取り付ける為の骨組み〔図１〕の〔符号〕２があり、簡単に着脱が可能である。また、顔を覆う辺りの帽子の下部には紫外線を遮断する透明なＵＶカットシート〔図１〕の〔符号〕４がマジックテープ〔図１〕の〔符号〕５などで取り付けてあり、屋内などの不要な時は、簡単に着脱が可能である。また、帽子の大きさは大人用、子供用で異なり、ＵＶカットシートの丈も１０センチメートルから６０センチメートルなどと５種類程度の中から選択、着脱可能に出来るようにし、使用者の用途に幅広く適用出来るようにする。電源はバッテリー〔図１〕の〔符号〕７から電線〔図１〕の〔符号〕８を通して供給され、バッテリー〔図１〕の〔符号〕７は、使用者のポケットやバッグなどに収納して携帯する他、専用のバッテリーホルダー〔図１〕の〔符号〕９に収納して、使用者のズボンのベルトなどに取り付けて携帯しても良い。さらに、本体の帽子〔図１〕の〔符号〕６や小型扇風機〔図１〕の〔符号〕３、バッテリー〔図１〕の〔符号〕７の色や模様、デザインなども様々に出来るのである。形状も〔図１〕の陣笠の様な形状に拘る必要はなく、色々な形状でも本発明の機能が果たせれば良い。
バッテリーは家庭電源や自動車で簡単に充電できる様にし、電源は、バッテリーの代わりに市販の乾電池でも使用可能である。
また、冬場に使用する場合には、梱包用エアキャップシートを素材としたエアキャップカバー〔図１〕の〔符号〕１０を帽子上部に被せ取付けることで、その小さく何個にも区切られた半円球のエアキャップ内の空気が太陽光線によって暖められ、帽子全体が加温される、このエアキャップカバー〔図１〕の〔符号〕１０は、半円球状の小さなキャップが無数にあるため、表面積が数倍に増えて、太陽光線を効率よく受けることが出来、加温効率も良い。もっと効率よく加温させる為やファッション性を高めるために配色をカラフルな色にすると良い。またそれ以上に加温したい場合には、付属のカイロ取付け用袋〔図１〕の〔符号〕１１の中に、カイロや使い捨てカイロ等を収納し、扇風機取付け用骨組み〔図１〕の〔符号〕２に小型扇風機〔図１〕の〔符号〕３の代わりに取付けると、カイロ等の熱が帽子内部全体に広がり、着用者の頭や首筋までが温かくなる。本発明はカイロが直接頭部に触れないので頭部設置面が異常に熱くなったり、低温やけどの心配も解消されるのである。
【産業上の利用可能性】  本発明の携帯扇風機付き帽子は、個人の趣味などの野外でのスポーツ観戦やライブ観賞、などの他に、農業、林業、漁業、道路工事などの建設業などの様々な産業の屋外での作業時に多用途に利用可能である。従来の帽子や傘などでは、夏場での作業時には、内部が蒸し風呂の様な状態になり、極めて不快であるばかりではなく、作業効率も低下してしまう欠点があった。しかしながら、本発明により真夏でも長時間快適に屋外でも作業や趣味、スポーツ観戦やライブ観賞、スポーツに興じることが出来るようになり、それにまつわるあらゆる産業界に貢献することが期待できるのである。また付属のエアキャップカバーを被せたり、使い捨てカイロ等を取付ける事により、加温保温効果が高められ、冬場での野外などでの作業に使用すれば、従来の帽子とは比べ物にならないほど快適に過ごすことが出来、あらゆる産業にも利用可能となる。
【図面の簡単な説明】
【図１】「携帯扇風機付き帽子の全体図である。」
【符号の説明】
１  帽子上部の内側空間              １０  エアキャップカバー
２  扇風機取り付け用の骨組み        １１  カイロ取付け用袋
３  小型携帯扇風機
４  ＵＶカットシート
５  マジックテープ
６  帽子本体
７  バッテリー
８  電線
９  バッテリーホルダー
【図１】
2006241661.tif 000003
(57)【要約】【課題】本発明は、皮膚が滑らかになると共に、ダイエットに適した外用ダイエット剤および化粧料を提供することを目的とする。【解決手段】塩化マグネシウム類と、蛋白質分解酵素および／または脂質分解酵素とを含有する外用ダイエット剤および化粧料。【選択図】      なし【特許請求の範囲】
【請求項１】
塩化マグネシウム類と、蛋白質分解酵素および／または脂肪分解酵素とを含有することを特徴とする外用ダイエット剤。
【請求項２】
塩化マグネシウム類と、蛋白質分解酵素および／または脂肪分解酵素とを含有することを特徴とする化粧料。
【発明の詳細な説明】
【発明の詳細な説明】
【技術分野】
【０００１】  本発明は、外用ダイエット剤および化粧料に関する。
【背景技術】
【０００２】  従来、ダイエット剤としてはもっぱら内服用であり、種々の商品が提供されている。また化粧料も多種多用のものが提供され、そのうちの一種としてパパイン酵素を使用したものが提供されている。このパパイン酵素入り化粧料は、皮膚の角質化した部分を除去し、皮膚を滑らかにする効果がある。
【発明の開示】
【発明が解決しようとする課題】
【０００３】  本発明者は、皮膚を滑らかにすると共に、美白効果を有し、かつダイエット効果を有する製品について種々研究を重ね、特に外用剤によってこれらの効果を有するものについて検討を行い、本発明を完成するに至った。
【課題を解決するための手段】
【０００４】    すなわち、本発明は、塩化マグネシウム類と、蛋白質分解酵素および／または脂質分解酵素とを含有する外用ダイエット剤および化粧料である。
【発明の効果】
【０００５】  本発明の外用ダイエット剤および化粧料は、身体に塗ることにより各成分の相乗効果によって、皮膚組織内への浸透性が高まり、短時間に皮膚が滑らかになると共に、連用することにより身体内の蛋白質および／または脂肪が分解されダイエット効果が得られる。
【発明を実施するための最良の形態】
【０００６】  次に本発明を詳細に説明する。
本発明に使用される塩化マグネシウム類としては、塩化マグネシウム、苦汁、苦汁エキス、副生苦ジュウ、濃厚苦ジュウ、固形苦ジュウ等が挙げられ、特に苦汁が好ましい。【０００７】  本発明に使用される蛋白分解酵素としては、パパイン、ペプシン、レンニン、トリプシン、キモトリプシン、エラスターゼ、カテプシン、プラスミン、パンクレアチン、カルボキシペプチターゼ、ブロメライン、フィシン等が挙げられるが、特にパパインが好ましい。【０００８】  本発明に使用される脂肪分解酵素としては、リパーゼ、パンクレアチン、ステアプシン等が挙げられるが、特にリパーゼが好ましい。【０００９】  本発明の外用ダイエット剤および化粧料に用いる前記成分の配合割合としては、例えば塩化マグネシウム類として苦汁を用いた場合、苦汁：蛋白質分解酵素および／または脂質分解酵素との配合比（重量比）は１００：１〜１０特に１００：３〜７の割合が好ましい。【００１０】  本発明の外用ダイエット剤および化粧料は前記の成分の他、アルコール類、香料、増量剤等の種々のものを添加することができる。
増量剤にはＣＭＣ（カルボキシルメチルセルロースナトリウム・カルボキシルメチルセルロースカルシウム）等が用いられる。【００１１】  また本発明の外用ダイエット剤および化粧料は、粉末状、液状、乳状、ワックス状の形態に調製することができる。そして粉末状の形態の製品は使用時に水等を添加して液状にして用いることができる。【００１２】  本発明の外用ダイエット剤および化粧料を使用する場合、顔、手、足、胸、腹、背中等の身体に塗り、好ましくはマッサージを行い、数十分から数時間放置した後洗い流せばよい。
このように処置することによって塩化マグネシウム類と併用したことによって皮膚組織内への浸透性が良くなると共に皮膚が滑らかになると共に身体内の蛋白質および／または脂質が分解され、ダイエット効果が得られる。
【実施例】
【００１３】  次に本発明をさらに具体的に説明するために実施例を揚げて説明するが、本発明は以下の実施例のみに限定されるものではない。【００１４】  実施例１
苦汁１００ｍｌにパパイン５ｇを混合して外用ダイエット剤を調整した。【００１５】  実施例２
苦汁１００ｍｌにパパイン５ｇに香料を少量添加し化粧料を調製した。